(57)【要約】【課題】容易に組み立てることができる電気集塵装置等を提供する。【解決手段】電気集塵装置等は、空気中の物質を帯電させるイオン化部と、前記イオン化部とは別に一体形成され、接地されることにより帯電した物質を捕集する金属フィンと、を備えた。当該構成によれば、金属フィンを容易に製作することができる。このため、電気集塵装置等において、複数の放電電極と複数の対向電極とを一定間隔で保持する必要がなくなる。その結果、電気集塵装置等を容易に組み立てることができる。【選択図】図１
2015085213.tif 000002
【特許請求の範囲】
【請求項１】
空気中の物質を帯電させるイオン化部と、
前記イオン化部とは別に一体形成され、接地されることにより帯電した物質を捕集する金属フィンと、
を備えた電気集塵装置。
【請求項２】
前記金属フィンは、押し出し成型により一体形成された請求項１に記載の電気集塵装置。
【請求項３】
前記金属フィンは、表面をアルマイト処理されたアルミニウムにより一体形成された請求項１又は請求項２に記載の電気集塵装置。
【請求項４】
前記イオン化部は、
格子状に形成された第１フレームと、
格子状に形成された第２フレームと、
前記第１フレームの開口面と前記第２フレームの開口面との間に設けられ、板状に形成された複数の対向電極と、
前記第１フレームの開口面と前記第２フレームの開口面との間において隣接した対向電極により区切られた空間の中心に配置された放電電極と、
を備え、
前記金属フィンは、前記第２フレームの外側に設けられ、前記第１フレームから流入した物質が前記複数の対向電極と前記放電電極とにより帯電した後に前記第２フレームから流出した際に当該物質を捕集する請求項１から請求項３のいずれか一項に記載の電気集塵装置。
【請求項５】
隣接した対向電極は、奥行寸法よりも短い間隔で配置された請求項４に記載の電気集塵装置。
【請求項６】
前記金属フィンは、前記第１フレームの開口面と前記第２フレームの開口面と前記対向電極とに対し垂直に配置された請求項４又は請求項５に記載の電気集塵装置。
【請求項７】
前記複数の対向電極は、前記第１フレームの開口面と前記第２フレームの開口面とに対し傾斜して配置された請求項４から請求項６のいずれか一項に記載の電気集塵装置。
【請求項８】
吸気口と排気口とを有した本体と、
前記吸気口から前記本体の内部へと空気を取り込み、前記排気口から前記本体の外部へと空気を吹き出す送風手段と、
前記本体の内部で前記吸気口と前記送風手段との間に設けられた請求項１から請求項７のいずれか一項に記載の電気集塵装置と、
を備え、
前記イオン化部は、前記吸気口と前記送風手段との間に設けられ、
前記金属フィンは、前記イオン化部と前記送風手段との間に設けられた備えた空気清浄装置。
【請求項９】
前記吸気口は、前記本体の上部に設けられ、
前記排気口は、前記本体の下部に設けられた請求項８に記載の空気清浄装置。
【請求項１０】
請求項９に記載の空気清浄装置と、
前記電気集塵装置と前記送風手段との間に設けられた熱交換器と、
を備えた空気調和装置。
【請求項１１】
前記金属フィンは、前記イオン化部と前記熱交換器とに挟み込まれた請求項１０に記載の空気調和装置。
【請求項１２】
前記イオン化部は、前記熱交換器と対向する一側と前記熱交換器との間に隙間を形成する他側とを有し、
前記金属フィンは、前記イオン化部の他側と前記熱交換器との間に形成された隙間に配置された請求項１０に記載の空気調和装置。
【請求項１３】
前記イオン化部は、前記熱交換器と対向する一側と前記熱交換器との間に隙間を形成する他側とを有し、
前記金属フィンは、
前記イオン化部の一側と前記熱交換器とに挟み込まれた第１フィンと、
前記イオン化部の他側と前記熱交換器との間に形成された隙間に配置された第２フィンと、
を備えた請求項１０に記載の空気調和装置。
【請求項１４】
前記イオン化部は、帯電した霧状の水を放出する請求項１から請求項３のいずれか一項に記載の電気集塵装置。
【請求項１５】
吸気口と排気口とを有した本体と、
前記吸気口から前記本体の内部へと空気を取り込み、前記排気口から前記本体の外部へと空気を吹き出す送風手段と、
前記本体の内部で前記吸気口と前記送風手段との間に設けられた請求項１４に記載の電気集塵装置と、
を備え、
前記イオン化部は、前記吸気口と前記排気口との間の風路に設けられ、
前記金属フィンは、前記吸気口と前記送風手段との間に設けられた備えた空気清浄装置。
【請求項１６】
前記吸気口は、前記本体の上部に設けられ、
前記排気口は、前記本体の下部に設けられた請求項１５に記載の空気清浄装置。
【請求項１７】
請求項１６に記載の空気清浄装置と、
前記電気集塵装置と前記送風手段との間に設けられた熱交換器と、
を備えた空気調和装置。
【発明の詳細な説明】
【技術分野】
【０００１】
この発明は、電気集塵装置、空気清浄装置、空気調和装置に関する。
【背景技術】
【０００２】
特許文献１には、電気集塵装置が記載されている。当該電気集塵装置は、イオン化部とコレクタ部とを備える。イオン化部は、空気中の粒子状物質を帯電させる。コレクタ部は、帯電した粒子状物質を捕集する。コレクタ部は、複数の放電電極と複数の対向電極とを備える。複数の放電電極と複数の対向電極とは、一定間隔をあけて交互に配置される。
【先行技術文献】
【特許文献】
【０００３】
【特許文献１】特開２００５−０７４３８９号公報
【特許文献２】特開平６−２９６８９８号公報
【発明の概要】
【発明が解決しようとする課題】
【０００４】
しかしながら、コレクタ部においては、複数の放電電極と複数の対向電極とを一定間隔で保持することが困難である。このため、コレクタ部の組み立て性が悪い。
【０００５】
この発明は、上述の課題を解決するためになされた。この発明の目的は、容易に組み立てることができる電気集塵装置等を提供することである。
【課題を解決するための手段】
【０００６】
この発明に係る電気集塵装置は、空気中の物質を帯電させるイオン化部と、前記イオン化部とは別に一体形成され、接地されることにより帯電した物質を捕集する金属フィンと、を備えた。
【０００７】
この発明に係る空気清浄装置は、前記電気集塵装置を備えた。
【０００８】
この発明に係る空気調和装置は、前記空気清浄装置を備えた。
【発明の効果】
【０００９】
この発明によれば、金属フィンがイオン化部と別体に一体形成される。このため、電気集塵装置等を容易に組み立てることができる。
【図面の簡単な説明】
【００１０】
【図１】この発明の実施の形態１における空気調和装置の縦断面図である。
【図２】この発明の実施の形態１における電気集塵装置の分解斜視図である。
【図３】この発明の実施の形態１における電気集塵装置の縦断面図である。
【図４】この発明の実施の形態１における電気集塵装置の集塵効果を示す図である。
【図５】この発明の実施の形態２における空気調和装置の縦断面図である。
【図６】この発明の実施の形態３における空気調和装置の縦断面図である。
【図７】この発明の実施の形態４における空気調和装置の縦断面図である。
【図８】この発明の実施の形態４における電気集塵装置の静電霧化装置の構成図である。
【発明を実施するための形態】
【００１１】
この発明を実施するための形態について添付の図面に従って説明する。なお、各図中、同一又は相当する部分には同一の符号を付しており、その重複説明は適宜に簡略化ないし省略する。
【００１２】
実施の形態１．
図１はこの発明の実施の形態１における空気調和装置の縦断面図である。
【００１３】
図１に示すように、空気調和装置の室内機は本体１を備える。本体１の上面には、吸気口２が設けられる。本体１の前面の下部には、排気口３が設けられる。本体１の内部において、吸気口２と排気口３との間には、風路４が設けられる。本体１の前面の上部には、前面パネル５が開閉自在に設けられる。
【００１４】
排気口３の内部には、複数の左右風向板６が設けられる。複数の左右風向板６は、水平方向に並んで配置される。複数の左右風向板６は、排気口３の内部の上面に支持される。
【００１５】
排気口３の内部には、第１上下風向板７ａが設けられる。第１上下風向板７ａは、本体１の手前側に設けられる。第１上下風向板７ａの両側には、図示しない第１支持腕が設けられる。第１支持腕の各々には、図示しない第１ピンが取り付けられる。第１ピンの各々には、図示しない第１支柱が回転自在に取り付けられる。
【００１６】
排気口３の内部には、第２上下風向板７ｂが設けられる。第２上下風向板７ｂは、本体１の奥側に設けられる。第２上下風向板７ｂの両側には、図示しない第２支持腕が設けられる。第２支持腕の各々には、図示しない第２ピンが取り付けられる。第２ピンの各々には、図示しない第２支柱が回転自在に取り付けられる。
【００１７】
風路４には、送風ファン８が設けられる。風路４には、熱交換器９が設けられる。熱交換器９は、吸気口２と送風ファン８との間に設けられる。熱交換器９は、送風ファン８を囲むように配置される。
【００１８】
空気調和装置は、空気清浄装置としての機能を備える。この場合、風路４には、電気集塵装置１０が設けられる。電気集塵装置１０は、イオン化部１０ａと金属フィン１０ｂとを備える。イオン化部１０ａは、吸気口２と熱交換器９との間に設けられる。金属フィン１０ｂは、イオン化部１０ａと熱交換器９とに挟み込まれるように配置される。
【００１９】
空気調和装置の室内機において、送風ファン８は、送風手段として風を発生させる。当該風により、室内の空気が吸気口２から取り込まれる。その後、当該空気は、熱交換器９に向かって移動する。当該空気の一部は、イオン化部１０ａを通過する。当該空気の一部には、粒子状物質が浮遊する。例えば、粒子状物質は、塵埃、細菌、かび、ウイルス、花粉、アレルゲン物質等からなる。粒子状物質は、イオン化部１０ａの放電、電界により帯電する。帯電した粒子状物質は、金属フィン１０ｂに付着する。
【００２０】
その後、当該空気は、熱交換器９を通過する。この際、熱交換器９は、空気を冷やしたり暖めたりする。その後、当該空気は、送風ファン８、風路４の順に通過する。その後、当該空気は、排気口３から室内に吹き出される。この際、左右風向板６は、当該空気を左右に吹き分ける。第１上下風向板７ａと第２上下風向板７ｂとは、当該空気の上下方向の吹き出し角度を調整する。
【００２１】
次に、図２を用いて、イオン化部１０ａと金属フィン１０ｂとを説明する。
図２はこの発明の実施の形態１における電気集塵装置の分解斜視図である。図２において、Ｚ方向は風上側に設定される。
【００２２】
図２に示すように、イオン化部１０ａは、上部フレーム１１、下部フレーム１２、対向電極１３、放電電極１４、電極支持部１５ａ、１５ｂ、給電部１６、バネ１７、図示しない高圧電源を備える。
【００２３】
上部フレーム１１は、第１フレームとして、イオン化部１０ａの最も風上側に配置される。例えば、上部フレーム１１の全体は、樹脂により形成される。上部フレーム１１の上面は、格子状に形成される。当該格子により、各開口が区切られる。当該開口の幅は、予め設定される。当該開口の奥行きは、予め設定される。当該開口は、外部の空気を内部に取り込み得るように形成される。当該開口は、人の指が内部に入らないように形成される。
【００２４】
下部フレーム１２は、第２フレームとして、イオン化部１０ａの最も風下側に配置される。例えば、下部フレーム１２の全体は、樹脂により形成される。下部フレーム１２の下面には、上部フレーム１１の上面と同様に格子状に形成される。当該格子により、上部フレーム１１の上面と同様に各開口が区切られる。
【００２５】
複数の対向電極１３は、上部フレーム１１と下部フレーム１２との間に設けられる。複数の対向電極１３は接地される。対向電極１３は、Ｘ方向に長くなるように形成される。隣接した対向電極１３は、奥行寸法よりも短い間隔で配置される。
【００２６】
複数の対向電極１３は、本体１の内部に配置された際に吸気口２から取り込まれた空気が抵抗なく通過するように配置される。複数の対向電極１３は、本体１の内部に配置された際に吸気口２から取り込まれた空気の流れに沿った角度となるように配置される。例えば、対向電極１３は、上部フレーム１１の開口面と下部フレーム１２の開口面とに対し、予め設定された角度で傾斜して配置される。例えば、複数の対向電極１３は、上部フレーム１１の開口面と下部フレーム１２の開口部とに対して４５から６０度の角度を有するように配置される。
【００２７】
複数の対向電極１３は、金属の板状部材に切断加工と曲げ加工とを行うことにより形成される。その結果、複数の対向電極１３は、樹脂成形により形成される場合よりも精密に形成される。複数の対向電極１３は、樹脂成形により形成される場合よりも傾斜の経年変化を大幅に抑制される。
【００２８】
例えば、複数の対向電極１３は、タングステン、銅、ニッケル、ステンレス、亜鉛、鉄、モリブデン等で形成される。例えば、複数の対向電極１３は、タングステン、銅、ニッケル、ステンレス、亜鉛、鉄、モリブデン等を主成分とする合金で形成される。例えば、複数の対向電極１３は、タングステン、銅、ニッケル、ステンレス、亜鉛、鉄、モリブデン等の表面に対し、銀、金、白金当の貴金属をメッキして形成される。
【００２９】
放電電極１４の要部は、板状部材からなる。放電電極１４の中間部は、２回から４回程度折り返される。放電電極１４の両端部には、リング状の端子が取り付けられる。放電電極１４は、矩形状の断面を有する。例えば、放電電極１４は、短辺の長さが０．０１から０．１ｍｍの間となる断面を有する。例えば、放電電極１４は、長辺の長さが０．１から１．０ｍｍの間となる断面を有する。
【００３０】
放電電極１４は、金属等で形成される。例えば、放電電極１４は、タングステン、銅、ニッケル、ステンレス、亜鉛、鉄、モリブデン等で形成される。例えば、放電電極１４は、タングステン、銅、ニッケル、ステンレス、亜鉛、鉄、モリブデン等を主成分とする合金で形成される。例えば、放電電極１４は、タングステン、銅、ニッケル、ステンレス、亜鉛、鉄、モリブデン等の表面に対し、銀、金、白金当の貴金属をメッキして形成される。例えば、放電電極１４は、タングステン、銅、ニッケル、ステンレス、亜鉛、鉄、モリブデン等の表面に対し、炭素（グラファイト）層又は酸化膜を生成して形成される。
【００３１】
一対の電極支持部１５ａ、１５ｂの全体は、樹脂で形成される。電極支持部１５ａは、下部フレーム１２の一側の端部に取り付けられる。電極支持部１５ｂは、下部フレーム１２の他側の端部に取り付けられる。一対の電極支持部１５ａ、１５ｂは、放電電極１４を折り返す際の部材と放電電極１４を適切な位置に配置する際の部材とを備える。電極支持部１５ａは、放電電極１４の一側を支持する。電極支持部１５ｂは、放電電極１４の他側を支持する。
【００３２】
給電部１６は、金属で形成される。給電部１６は、電極支持部１５ａに設けられる。バネ１７は、金属で形成される。バネ１７は、給電部１６に設けられる。バネ１７の一側は、放電電極１４の端子の一方に連結される。バネ１７の他側は、放電電極１４の端子の他方に連結される。バネ１７は、放電電極１４の長手方向に予め設定された張力を付与する。高圧電源は、給電部１６に接続される。
【００３３】
金属フィン１０ｂは接地される。金属フィン１０ｂの一端部には、支持部が形成される。支持部には、複数の平板が積層される。複数の平板は、複数の平板がＹ方向とは反対方向に積層される。隣接した平板の端部は、開放される。金属フィン１０ｂのＸ方向の長さは、上部フレーム１１の開口面のＸ方向の長さと下部フレーム１２の開口面のＸ方向の長さと同じ長さに設定される。金属フィン１０ｂのＹ方向の長さは、上部フレーム１１の開口面のＹ方向の長さと下部フレーム１２の開口面のＹ方向の長さと同じ長さに設定される。
【００３４】
例えば、金属フィン１０ｂは、Ｚ方向への押し出し成型により一体形成される。例えば、金属フィン１０ｂは、アルミニウム、ステンレス、亜鉛、鉄、銅、ニッケル等で一体形成される。例えば、金属フィン１０ｂは、表面をアルマイト処理されたアルミニウムにより一体形成される。
【００３５】
電気集塵装置１０においては、高圧電源２３は、４ｋＶから７ｋＶ程度の高電圧を供給する。当該高電圧は、給電部１６に供給される。その結果、対向電極１３と放電電極１４との間には、放電、電界空間が生成される。
【００３６】
次に、図３を用いて、対向電極１３と放電電極１４と金属フィン１０ｂとの配置を説明する。
図３はこの発明の実施の形態１における電気集塵装置の縦断面図である。図３において、Ｚ方向は風上側に設定される。
【００３７】
図３に示すように、放電電極１４は、隣接した対向電極１３で区切られた空間のほぼ中心に配置される。
【００３８】
金属フィン１０ｂのＺ方向の一端面は、下部フレーム１２に接する。その結果、複数の平板は、上部フレーム１１の開口面と下部フレーム１２の開口面と対向電極１３とに対し垂直に配置される。電気集塵装置１０は、本体１の内部に配置された際にＹ方向とは反対方向が上側となる。このため、吸気口２から流入する空気は、複数の平板に対し平行に抵抗なく通過する。
【００３９】
次に、図４を用いて、電気集塵装置の集塵効果を説明する。
図４はこの発明の実施の形態１における電気集塵装置の集塵効果を示す図である。図４の横軸は時間である。図４の縦軸はタバコの煙中の粒子濃度である。
【００４０】
図４は空気調和装置を２８ｍ３のチャンバー内に設置した状態で稼動させた際のタバコの煙中の粒子濃度の変化を示す。「自然減衰」は、空気調和装置を稼動させない際の粒子濃度の変化である。「電気集塵なし」は、電気集塵装置１０がない空気調和装置を稼動させた際の粒子濃度の変化である。「電気集塵あり」は、電気集塵装置１０を備えた空気調和装置を稼動させた際の粒子濃度の変化である。
【００４１】
「自然減衰」において、粒子濃度は、ゆるやかに減衰する。具体的には、４０分が経過した際、粒子濃度は、初期濃度に対して９０％程度の濃度となる。「電気集塵なし」において、粒子濃度は、「自然減衰」の場合よりも急激に減衰する。具体的には、４０分が経過した際、粒子濃度は、初期濃度に対して７０％程度の濃度となる。「電気集塵あり」において、粒子濃度は、「電気集塵なし」の場合よりも急激に減衰する。具体的には、４０分が経過した際、粒子濃度は、初期濃度に対して１０％程度の濃度となる。
【００４２】
以上で説明した実施の形態によれば、金属フィン１０ｂは、イオン化部１０ａと別体に一体形成される。このため、電気集塵装置１０を容易に組み立てることができる。
【００４３】
また、金属フィン１０ｂは、押し出し成型により一体形成される。このため、電気集塵装置１０を安価にすることができる。さらに、複数の平板がたわみ等により経年劣化することを防止できる。
【００４４】
また、金属フィン１０ｂは、表面をアルマイト処理されたアルミニウムにより一体形成される。この場合、金属フィン１０ｂは、他の金属で形成した場合よりも耐食性と耐摩耗性を備える。このため、金属フィン１０ｂを長期間にわたり使用することができる。
【００４５】
また、放電電極１４は、隣接した対向電極１３で区切られた空間のほぼ中心に配置される。このため、吸気口２から流入する空気を抵抗なく通過させることができる。その結果、送風手段の性能を阻害せず、室内で浮遊している粒子状物質を効率良く除去し、不活性化することができる。
【００４６】
また、隣接した対向電極は、奥行寸法よりも短い間隔で配置される。この場合、放電電極１４と金属フィン１０ｂの距離は、放電電極１４と対向電極１３の距離よりも長くなる。このため、放電電極１４と金属フィン１０ｂとの間の放電を抑制することができる。その結果、放電電極１４と対向電極１３との間で安定した均一の放電、電界空間を維持することができる。
【００４７】
また、金属フィン１０ｂは、上部フレーム１１の開口面と下部フレーム１２の開口面と前記対向電極１３とに対し垂直に配置される。このため、吸気口２から流入する空気を抵抗なく通過させることができる。その結果、送風手段の性能を阻害せず、室内で浮遊している粒子状物質を効率良く除去できる。
【００４８】
また、複数の対向電極１３は、上部フレーム１１の開口面と下部フレーム１２の開口面とに対し傾斜して配置される。このため、吸気口２から流入する空気を抵抗なく通過させることができる。その結果、送風手段の性能を阻害せず、室内で浮遊している粒子状物質を効率良く除去できる。
【００４９】
また、吸気口２は、本体１の上部に設けられる。排気口３は、本体１の下部に設けられる。このため、比較的重い粒子状物質でも効率よく捕集することができる。
【００５０】
また、空気調和装置に電気集塵装置１０を設けた場合は、室内の空気を冷やしたり暖めたりする性能が維持される。このため、電気代の増加を抑制することができる。その結果、室内で浮遊している粒子状物質を効率良く除去することができる。
【００５１】
また、金属フィン１０ｂは、イオン化部１０ａと熱交換器９とに挟み込まれる。このため、金属フィン１０ｂ全体を使って粒子状物質を効率よく捕集することができる。
【００５２】
実施の形態２．
図５はこの発明の実施の形態２における空気調和装置の縦断面図である。なお、実施の形態１と同一又は相当部分には同一符号を付して説明を省略する。
【００５３】
実施の形態１の金属フィン１０ｂは、イオン化部１０ａと熱交換器９とに挟み込まれる。一方、実施の形態２の金属フィン１０ｂは、イオン化部１０ａから分離される。
【００５４】
イオン化部１０ａの一側は、熱交換器９と対向する。イオン化部１０ａの他側は、熱交換器９との間に隙間を形成する。金属フィン１０ｂは、イオン化部１０ａの他側と熱交換器９との間に形成された隙間に配置される。
【００５５】
空気調和装置の室内機において、送風ファン８は、風を発生させる。当該風により、室内の空気が吸気口２から取り込まれる。その後、当該空気は、熱交換器９に向かって移動する。当該空気の一部は、イオン化部１０ａを通過する。その後、イオン化部１０ａにおいて、空気中の粒子状物質が帯電する。粒子状物質の一部は、イオン化部１０ａの前部から風の流れに沿って金属フィン１０ｂに向かう。当該粒子状物質は、金属フィン１０ｂに付着する。
【００５６】
以上で説明した実施の形態２によれば、金属フィン１０ｂは、イオン化部１０ａの他側と熱交換器９との間に形成された隙間に配置される。このため、空気調和装置の奥行き寸法を短くすることができる。
【００５７】
実施の形態３．
図６はこの発明の実施の形態３における空気調和装置の縦断面図である。なお、実施の形態１と同一又は相当部分には同一符号を付して説明を省略する。
【００５８】
実施の形態１の金属フィン１０ｂは、１部品からなる。一方、実施の形態２の金属フィン１０ｂは、２部品からなる。具体的には、実施の形態２の金属フィンは、第１フィンと第２フィンとを備える。第１フィンは、イオン化部１０ａの一側と熱交換器９との間に挟みこまれる。第２フィンは、イオン化部１０ａの他側と熱交換器９との間に形成された空間に配置される。
【００５９】
以上で説明した実施の形態３によれば、金属フィン１０ｂは２部品からなる。その結果、金属フィン１０ｂの表面積が拡大する。このため、電気集塵装置１０に対し、室内で浮遊している粒子状物質を除去する性能を向上させることができる。
【００６０】
実施の形態４．
図７はこの発明の実施の形態４における空気調和装置の縦断面図である。なお、実施の形態１と同一又は相当部分には同一符号を付して説明を省略する。
【００６１】
実施の形態４のイオン化部１０ｃは静電霧化装置からなる。イオン化部１０ｃは、風路４に設けられる。例えば、イオン化部１０ｃは、本体１の内部の下部に設けられる。例えば、イオン化部１０ｃは、熱交換器９よりも風上側に設けられる。例えば、イオン化部１０ｃは、排気口３の近傍に設けられる。
【００６２】
空気調和装置においては、イオン化部１０ｃは、帯電水滴を放出する。当該帯電水滴により、室内の空気に浮遊する粒子状物質が帯電する。当該粒子状物質は、送風ファン８により吸引される。当該粒子状物質は、金属フィン１０ｂを通過する。この際、粒子状物質は、クーロン力により金属フィン１０ｂに付着する。
【００６３】
次に、図８を用いて、イオン化部１０ｃを説明する。
図８はこの発明の実施の形態４における電気集塵装置のイオン化部の構成図である。
【００６４】
図８において、ペルチェ素子１８の下端側には、冷却部が形成される。ペルチェ素子１８の冷却部の表面には、付着した水滴が滴下しやすくなる処理が施される。ペルチェ素子１８の下方には、ケーシング１９が配置される。ケーシング１９の内部には、貯水トレイ２０が配置される。貯水トレイ２０は、ペルチェ素子１８の直下に配置される。
【００６５】
貯水トレイ２０には、放電電極２１が設けられる。放電電極２１の先端は、貯水トレイ２０の底部近傍の側壁を貫通する。放電電極２１の先端には、尖った突起部が形成される。放電電極２１は、チタン等の発泡金属で形成される。発泡金属は金属多孔質体からなる。発泡金属の孔径は５０〜１５０μｍである。発泡金属の空隙率は７０〜８０％である。
【００６６】
放電電極２１の突起部の先には、対向電極２２が配置される。対向電極２２は、放電電極２１の突起部と予め設定された間隔をあけて対向する。対向電極２２は、導通性を有する。例えば、対向電極２２は、金属板で形成される。例えば、対向電極２２は、ステンレスで形成される。対向電極２２には、略円形の孔が形成される。当該孔の中心は、放電電極２１の突起部の先端の延長線上に配置される。
【００６７】
ケーシング１９内には、高圧電源２３が設けられる。放電電極２１と対向電極２２には、高圧電源２３が電気的に接続される。
【００６８】
イオン化部１０ｃにおいては、ペルチェ素子１８への通電により、ペルチェ素子１８の冷却部の温度が下がる。その結果、ペルチェ素子１８の周囲の空気中において、水分は、ペルチェ素子１８の冷却部で冷却される。当該水分は凝縮する。当該水分は、ペルチェ素子１８の冷却部の表面に水滴となって付着する。当該水滴は、ペルチェ素子１８の下方へと自重により滴下する。
【００６９】
当該水滴は、貯蓄トレイ内の水Ｗ１として貯められる。この際、放電電極２１には、発泡金属の当該孔径と当該空隙率とにより貯水トレイ２０内の水が全体に行き渡る。その結果、水Ｗ１は、放電電極２１の突起部まで含浸する。
【００７０】
この状態で、高圧電源２３は、放電電極２１と対向電極２２との間に３ｋＶ〜１０ｋＶの正又は負の直流電圧を印加する。当該直流電圧により、放電電極２１の先端に保持された水と対向電極２２との間にクーロン力が働く。
【００７１】
当該クーロン力により、水の表面が局所的に盛り上がる。その結果、テイラーコーンが生成される。その後、クーロン力が水の表面張力を超えると、テイラーコーンが分裂する。当該分裂により、直径数ｎｍ程度の霧状の帯電水滴Ｗ２が形成される。帯電水滴Ｗ２は、空気中に放出される。
【００７２】
以上で説明した実施の形態４によれば、イオン化部１０ｃは、帯電した霧状の水を放出する。このため、室内で浮遊している粒子状物質を効率良く帯電させることができる。
【００７３】
この際、放電電極２１に対し、複数の突起部を設けてもよい。この場合、突起部の数に応じて、帯電水滴Ｗ２の量を増加させることができる。
【００７４】
なお、イオン化部１０ｃは、風路４上であれば所望の位置に配置してよい。このため、電気集塵装置１０のレイアウトの自由度を増すことができる。
【００７５】
また、吸気口２は、本体１の上部に設けられる。排気口３は、本体１の下部に設けられる。このため、比較的重い粒子状物質でも効率よく捕集することができる。
【００７６】
また、空気調和装置に電気集塵装置１０を設けた場合は、室内の空気を冷やしたり暖めたりする性能が維持される。このため、電気代の増加を抑制することができる。その結果、室内で浮遊している粒子状物質を効率良く除去することができる。
【００７７】
なお、実施の形態１から実施の形態４の電気集塵装置１０は、家庭のリビング、オフィス、店舗等の各種空気調和装置、空気清浄装置、送風機に搭載することができる。また、エレベータ、ダクト等にファンを設け、実施の形態１から実施の形態４の電気集塵装置１０を適用してもよい。
【符号の説明】
【００７８】
１  本体、  ２  吸気口、  ３  排気口、  ４  風路、  ５  前面パネル、  ６  左右風向板、  ７ａ  第１上下風向板、  ７ｂ  第２上下風向板、  ８  送風ファン、  ９  熱交換器、  １０  電気集塵装置、  １０ａ  イオン化部、  １０ｂ  金属フィン、  １０ｃ  イオン化部、  １１  上部フレーム、  １２  下部フレーム、  １３  対向電極、  １４  放電電極、  １５ａ、１５ｂ  電極支持部、  １６  給電部、  １７  バネ、  １８  ペルチェ素子、  １９  ケーシング、  ２０  貯水トレイ、  ２１  放電電極、  ２２  対向電極、  ２３  高圧電源
【図１】
2015085213.tif 000003
【図２】
2015085213.tif 000004
【図３】
2015085213.tif 000005
【図４】
2015085213.tif 000006
【図５】
2015085213.tif 000007
【図６】
2015085213.tif 000008
【図７】
2015085213.tif 000009
【図８】
2015085213.tif 000010